(57)【特許請求の範囲】
【請求項１】
ユニット家具のベースユニット又は直接床面に設置するユニット家具のキャビネットユニットの下端部に設けるアジャスター装置であって、前記ベースユニット又はキャビネットユニットの前框に沿って、螺軸の下端に該螺軸よりも外形が大きい接地部を有する複数のアジャスターボルトを設けるとともに、前記前框の横幅に略一致した横幅を有し且つ前記接地部よりも後方へ延びた基板と該基板の前縁で前記前框の背面近傍に立ち上げた目隠し板とを有する接地部材を設け、前記アジャスターボルトに対応する接地部材の基板に、前記接地部に係止可能な係止片を切起し形成し、切残した基板上に前記接地部を載置可能となしたことを特徴とするユニット家具のアジャスター装置。
【請求項２】
前記係止片は、基板から上方へ立ち上げた垂直部と該垂直部から後方へ延びた水平部とからなる断面略Ｌ字形であり、前記水平部の先端に前記螺軸の一部を受け入れる切欠部を形成し、該切欠部に対応する基板の切残し片上に前記アジャスターボルトの接地部を載置可能となした請求項１記載のユニット家具のアジャスター装置。
【請求項３】
前記アジャスターボルトの接地部を前記係止片の水平部と前記基板の切残し片とで上下から挾持してなる請求項２記載のユニット家具のアジャスター装置。
【発明の詳細な説明】
【０００１】
【発明の属する技術分野】
本発明は、ユニット家具のアジャスター装置に係わり、更に詳しくはユニット家具のベースユニット又は直接床面に設置するユニット家具のキャビネットユニットの下端部に設け、それらの前框と床面間の隙間を閉鎖することが可能なアジャスター装置に関する。
【０００２】
【従来の技術】
従来、壁面に沿ってあるいは室内空間の中間位置に複数種のキャビネットユニットを上下左右に組み合わせて配設して構成することが可能な壁面収納型のユニット家具は、本出願人の製品も含めて各種提供されている。このユニット家具は、キャビネットユニットの組み合わせによって、床面から天井に渡る全壁面を覆って設けることも、また天井よりも低い位置まで設けることも、またそれらを組み合わせて設けることも、また室内空間の中間位置に配設してそれ自体で間仕切壁を形成することも可能なものである。
【０００３】
そして、ユニット家具は、床面に接地したベースユニットの上に複数種のキャビネットユニットを積層し、その上部に笠木ユニット又は化粧天板ユニットを取付けて構成するものである。また、ベースユニットを用いずに、キャビネットユニットを直接床面に接地する場合もある。ここで、ユニット家具のベースユニット又は直接床面に設置するユニット家具のキャビネットユニットの下端部には、高さ調節のためのアジャスター装置が設けられている。
【０００４】
前述のような構造のユニット家具において、アジャスター装置によってその高さを調節した場合、前記ベースユニット又はキャビネットユニットの前框と床面との間に隙間が生じ、この隙間が外観性を損なったり、また隙間から埃や塵が内方に入って溜まったり、更には筆記具等の小物や書類が内奥部に入ってしまったりする問題がある。
【０００５】
【発明が解決しようとする課題】
本発明が前述の状況に鑑み、解決しようとするところは、床面に設置するユニット家具において、高さ調節といった本来の機能を有するとともに、高さ調節してもベースユニット又はキャビネットユニットの前框と床面との間に隙間が生じることがなく、また施工性にも優れたユニット家具のアジャスター装置を提供する点にある。
【０００６】
【課題を解決するための手段】
本発明は、前述の課題解決のために、ユニット家具のベースユニット又は直接床面に設置するユニット家具のキャビネットユニットの下端部に設けるアジャスター装置であって、前記ベースユニット又はキャビネットユニットの前框に沿って、螺軸の下端に該螺軸よりも外形が大きい接地部を有する複数のアジャスターボルトを設けるとともに、前記前框の横幅に略一致した横幅を有し且つ前記接地部よりも後方へ延びた基板と該基板の前縁で前記前框の背面近傍に立ち上げた目隠し板とを有する接地部材を設け、前記アジャスターボルトに対応する接地部材の基板に、前記接地部に係止可能な係止片を切起し形成し、切残した基板上に前記接地部を載置可能となしたユニット家具のアジャスター装置を構成した。
【０００７】
具体的には、前記係止片は、基板から上方へ立ち上げた垂直部と該垂直部から後方へ延びた水平部とからなる断面略Ｌ字形であり、前記水平部の先端に前記螺軸の一部を受け入れる切欠部を形成し、該切欠部に対応する基板の切残し片上に前記アジャスターボルトの接地部を載置可能となしたものである。
【０００８】
更に、前記アジャスターボルトの接地部を前記係止片の水平部と前記基板の切残し片とで上下から挾持してなることがより好ましい。
【０００９】
【発明の実施の形態】
次に本発明の実施形態を添付図面に基づき更に詳細に説明する。図１は本発明に係るユニット家具の施工例を示し、図２〜図５は本発明の要部を示し、図中符号１はベースユニット、２はキャビネットユニット、３は笠木ユニットをそれぞれ示している。
【００１０】
本実施形態のユニット家具は、壁面Ｗに沿った床面Ｆに、ベースユニット１，…を設置し、後述のアジャスター装置によって高さ調節してレベル出しを行った後、その上に複数種のキャビネットユニット２，…を載置し、互いに連結するとともに、天井Ｓとの間に笠木ユニット３，…を設けて、床面Ｆから天井Ｓに渡って設けたものである。尚、図示しないが、最上段のキャビネットユニット２が天井Ｓに到達しない場合には、その上面に化粧天板ユニットを取付けることになる。
【００１１】
本実施形態では、ユニット家具を構成する最下段のユニットとして前記ベースユニット１を有し、該ベースユニット１にアジャスター装置４を組み込んだ例を示すが、ベースユニット１を用いずにキャビネットユニット２を直接床面Ｆに載置する構造のものでは最下段に設置するキャビネットユニット２にアジャスター装置４を組み込むものとする。
【００１２】
次に、アジャスター装置４を備えたベースユニット１を図２〜図５に示した実施形態に基づいて説明する。前記ベースユニット１は、横幅を各キャビネットユニット２の横幅に一致させた周囲の枠体５内の両側部に、前後に連結杆６，６を渡設したものである。前記枠体５は、前面側に前框７を有するとともに、その他の周囲面に側面板８を有し、上縁周囲には内方へ折曲した縁板９，…を有するものである。また、前記連結杆６は、上方へ開放した断面コ字形の杆体１０の上縁両側に水平に鍔板１１，１１を外向きに形成したものである。そして、前記枠体５の内部の両側部にそれぞれ連結杆６を前後方向に配設し、該連結杆６の両鍔板１１，１１の前後端部を前後の縁板９，９の下面に溶接して渡設している。ここで、前記連結杆６の前端と前框７の背面との間には空間部１２を残している。
【００１３】
そして、本発明に係るアジャスター装置４は、前記連結杆６の前後部に設けたアジャスターボルト１３と、該アジャスターボルト１３に関係づけて枠体５の前框７の背面側に設けた接地部材１４とから構成されている。
【００１４】
前記アジャスターボルト１３は、螺軸１５の下端に該螺軸１５よりも外形が大きい接地部１６を有するものであり、前記連結杆６の底板１７の前後部に形成した螺孔１８に螺軸１５を螺合している。そして、前側の二つのアジャスターボルト１３，１３は、前記枠体５の前框７に沿って設けられている。尚、ベースユニット１の横幅が広い場合には二つ以上の連結杆６を前後に渡設し、それぞれにアジャスターボルト１３を設けることもある。
【００１５】
また、前記接地部材１４は、前記前框７の横幅に略一致した横幅を有し且つ前記接地部１６よりも後方へ延びた基板１９と該基板１９の前縁で前記前框７の背面近傍に立ち上げた目隠し板２０とを有するとともに、前記アジャスターボルト１３に対応する前記基板１９に、前記接地部１６に係止可能な係止片２１，２１を切起し形成し、切残した基板１９上に前記接地部１６を載置可能となしたものである。ここで、前記接地部材１４の目隠し板２０は、前記枠体５の前框７の背面と各連結杆６，６の前端間に形成した空間部１２に内挿可能となしている。
【００１６】
更に詳しくは、図３〜図５に示すように、前記係止片２１は、基板１９から上方へ立ち上げた垂直部２１Ａと該垂直部２１Ａから後方へ延びた水平部２１Ｂとからなる断面略Ｌ字形であり、前記水平部２１Ｂの先端に前記螺軸１５の一部を受け入れる切欠部２１Ｃを形成し、該切欠部２１Ｃに対応する基板１９の切残し片１９Ａ上に前記アジャスターボルト１３の接地部１６を載置可能となしている。更に、前記アジャスターボルト１３の接地部１６を前記係止片２１の水平部２１Ｂと前記基板１９の切残し片１９Ａとで上下から挾持し、前記ベースユニット１を持ち上げてもアジャスターボルト１３から接地部材１４が外れないようにすることにより、施工性を高めている。つまり、前記接地部材１４は、係止片２１によってアジャスターボルト１３の接地部１６に係止されており、目隠し板２０がベースユニット１の前框７の背面に前方移動が規制されているので、ベースユニット１を移動させても係止片２１とアジャスターボルト１３の螺軸１５及び接地部１６に対する係止状態が維持されるのである。
【００１７】
また、前記接地部材１４の係止片２１は基板１９から切起したので、該係止片２１の切欠部２１Ｃの形状を螺軸１５を受け入れ可能な半円形とすれば、該切欠部２１Ｃに対応する前記切残し片１９Ａは平面視略Ｕ字形の形状となり、この切残し片１９Ａにアジャスターボルト１３の接地部１６の一部が載置されるのである。そして、前記接地部材１４の基板１９を床面Ｆに載置し、該基板１９の切残し片１９Ａ又は該切残し片１９Ａと基板１９の一部に跨がった部分にアジャスターボルト１３の接地部１６が載置すると、上方に設置するキャビネットユニット２，…の荷重によって床面Ｆと接地部１６との間に切残し片１９Ａが挟まれるので、当該接地部材１４が持ち上がったり、ガタついたりすることが全くないのである。
【００１８】
また、ベースユニット１の高さを調節する場合、前記連結杆６の底板１７から上方に露出した前記アジャスターボルト１３の螺軸１５の上端に設けたスリット１５Ａに、ドライバーの先端を係合して回転することによって行うが、前記接地部材１４とアジャスターボルト１３との関係は不動である。
【００１９】
【発明の効果】
以上にしてなる本発明のユニット家具のアジャスター装置は、ベースユニット又はキャビネットユニットの前框に沿って、螺軸の下端に該螺軸よりも外形が大きい接地部を有する複数のアジャスターボルトを設けるとともに、前記前框の横幅に略一致した横幅を有し且つ前記接地部よりも後方へ延びた基板と該基板の前縁で前記前框の背面近傍に立ち上げた目隠し板とを有する接地部材を設け、前記アジャスターボルトに対応する接地部材の基板に、前記接地部に係止可能な係止片を切起し形成し、切残した基板上に前記接地部を載置可能となしたので、高さ調節といった本来の機能を有するとともに、高さ調節してもベースユニット又はキャビネットユニットの前框と床面との間の隙間を目隠し板で閉鎖することができ、また接地部材はアジャスターボルトに係止し、ベースユニット又はキャビネットユニットと一体となって移動できるので、施工性にも優れている。更に、係止片を切残した基板上に前記アジャスターボルトの接地部を載置するので、設置後に接地部材が移動したり、ガタついたりすることもないのである。
【図面の簡単な説明】
【図１】本発明に係るユニット家具の一例を示す全体正面図である。
【図２】本発明のアジャスター装置を組み込んだベースユニットを示す分解斜視図である。
【図３】本発明の要部を示す分解斜視図である。
【図４】ベースユニットを床面に設置した状態を示す部分断面図である。
【図５】同じくベースユニットの高さを最も下方に設定した状態を示す部分断面図である。
【符号の説明】
Ｆ  床面                  Ｓ  天井
Ｗ  壁面
１  ベースユニット        ２  キャビネットユニット
３  笠木ユニット          ４  アジャスター装置
５  枠体                  ６  連結杆
７  前框                  ８  側面板
９  縁板                  １０  杆体
１１  鍔板                １２  空間部
１３  アジャスターボルト  １４  接地部材
１５  螺軸                １６  接地部
１７  底板                １８  螺孔
１９  基板                １９Ａ  切残し片
２０  目隠し板            ２１  係止片
２１Ａ  垂直部            ２１Ｂ  水平部
２１Ｃ  切欠部
【図１】
0003911864.tif 000002
【図２】
0003911864.tif 000003
【図３】
0003911864.tif 000004
【図４】
0003911864.tif 000005
【図５】
0003911864.tif 000006